(57)【特許請求の範囲】
【請求項１】
入射光を集光する集光レンズと、前記集光レンズにより集光された光を電気信号に変換する光電変換素子と、前記光電変換素子に前記集光された光を入射させる開口領域及び前記光電変換素子以外の領域を遮光する遮光領域からなる遮光層とを有する画素を複数備えた固体撮像装置において、
前記複数の画素からなる画素群の中心よりも周辺部に配置されている画素は、前記開口領域の重心が前記集光レンズの重心に対して周辺側に位置しており、
前記複数の画素の各々は、前記集光された光の光軸が前記光電変換素子の受光部表面の重心を通るように構成され、かつ、前記集光された光の光軸が前記遮光層の開口領域の重心を通るように構成されていることを特徴とする固体撮像装置。
【請求項２】
前記固体撮像装置の画素群の中心よりも周辺に設けられている画素ほど、前記光電変換素子の受光部表面の重心が前記集光レンズに対して前記画素群の中心から遠ざかる方向により進んで位置するように構成することを特徴とする請求項１に記載の固体撮像装置。
【請求項３】
前記集光された光の光路にカラーフィルタ層を設けることを特徴とする請求項１から２のいずれか１項に記載の固体撮像装置。
【請求項４】
前記光電変換素子に前記集光された光を入射させるための開口領域と、前記画素の前記集光レンズが設けられていない領域を遮光する遮光領域とからなるフィルタ層を有し、
前記複数の画素の各々は、前記集光された光の光軸が前記フィルタ層の開口領域の重心を通るように構成されていることを特徴とする請求項１から３のいずれか１項に記載の固体撮像装置。
【請求項５】
前記画素群は、前記複数の画素を１次元又は２次元に配列してなることを特徴とする請求項１から４のいずれか１項に記載の固体撮像装置。
【請求項６】
前記画素群は、前記複数の画素を湾曲状に配列してなることを特徴とする請求項５に記載の固体撮像装置。
【請求項７】
入射光を集光する複数の集光レンズと、前記集光レンズから入射した光を電気信号に変換する光電変換素子を複数含む画素群と、前記集光レンズからの光を前記光電変換素子へ導く複数の開口領域とを有し、
少なくとも前記画素群の周辺部に位置する画素では、前記集光レンズ及び前記開口領域が、対応する前記光電変換素子に対して前記画素群の中心方向にずれており、かつ、前記開口領域の重心が前記集光レンズの重心に対して周辺方向にずれており、前記集光レンズから入射した光の光軸が前記光電変換素子の受光部表面の重心を通り、かつ、前記集光レンズから入射した光の光軸が前記開口領域の重心を通るように画素が構成されていることを特徴とする固体撮像装置。
【請求項８】
請求項１から７のいずれか１項に記載の固体撮像装置と、
前記固体撮像装置側に被写体からの光を送る撮像レンズと、
前記固体撮像装置の出力信号を記憶する記憶手段とを備えることを特徴とするカメラ。
【発明の詳細な説明】
【０００１】
【発明の属する技術分野】
本発明は、集光された光を電気信号に変換する画素を複数備えた固体撮像装置及び固体撮像システムに関するものである。
【０００２】
【従来の技術】
従来、固体撮像装置は、たとえば特開平０５−０４０２０１号公報に記載されているように、受光光を電気信号に変換するフォトダイオードなどの光電変換素子と、光電変換素子に光を入射させるために集光するマイクロレンズとを備えている。
【０００３】
ここで、マイクロレンズは、近年の画素の小型化に伴って、フォトダイオードにおける受光光が減少することによって、フォトダイオードの受光感度が低下するのを防止するために備えられているものである。
【０００４】
図７（ａ）は、従来の固体撮像装置の平面図である。図７（ｂ）は、図７（ａ）に示した固体撮像装置の各画素の断面図である。図７（ａ）、図７（ｂ）おいて、１はシリコン基板（Ｓｉ基板）７上にフォトダイオード５を有する画素、２は画素１のうちフォトダイオード５以外の領域を遮光する遮光層、３は画素１のフォトダイオード５に光を入射させるための開口領域、４はフォトダイオード５に光を集光するマイクロレンズ、６はたとえば青・赤・緑などのカラーフィルタ層である。
【０００５】
図７（ａ）に示したように、従来の固体撮像装置には、複数の画素１が配列されている。また、図７（ｂ）に示したように、各画素１のフォトダイオード５の受光部の位置に合わせて開口領域３及びマイクロレンズ４が同一ピッチで形成されており、マイクロレンズ４によって集光された光の光軸と開口領域３の重心とが一致する。これにより、マイクロレンズ４を介した光は、フォトダイオード５の受光部のほぼ中心に集光される。
【０００６】
このように、従来、各画素１のフォトダイオード５の位置に対応させてマイクロレンズ４の位置を定めているため、画素１の小型化によって開口領域３の開口面積が少なくなっても、マイクロレンズ４により光を集光することによって受光感度の低下を防止している。
【０００７】
【発明が解決しようとする課題】
しかし、従来の技術は、固体撮像装置の画素の配置位置によって、マイクロレンズによって集光された光の一部が、フォトダイオードに到達しないものがあり、このため、固体撮像装置の受光感度にばらつきが生じる場合があった。
【０００８】
図８（ａ）、図８（ｂ）は、上記問題が生じる原理の説明図である。図８（ａ）、図８（ｂ）において、１０は固体撮像装置によって撮像される被写体、１１は被写体１０からの光を固体撮像装置上へ結像させる撮像レンズである。なお、図８（ａ）、図８（ｂ）において、図７（ａ）、図７（ｂ）に示した部分と同様の部分には、同一の符号を付している。
【０００９】
また、図８（ａ）、図８（ｂ）において、（ｉｉ）は、固体撮像装置の中心付近に配置されている画素である。（ｉ）及び（ｉｉｉ）  は固体撮像装置の周辺に配置されている画素である。
【００１０】
図８（ａ）に示すように、被写体１０からの光は、撮像レンズ１１を介して固体撮像装置上へ結像される。ここで、たとえば図８（ｂ）（ｉｉ）に示す画素へ送られた被写体１０からの光は、マイクロレンズ４を介してフォトダイオード５に入射される。
【００１１】
一方、図８（ｂ）（ｉ），図８（ｂ）（ｉｉ）に示す画素へ送られた被写体１０からの光は、マイクロレンズ４を介した後に、一部が遮光層２の遮光領域により遮られ、フォトダイオード５に入射されない。このため、画素が撮影レンズから近いものと遠いものとで受光感度のばらつきをなくすことができなかった。
【００１２】
図９は、図８に示した固体撮像装置の出力信号を示す図である。図９に示すように、従来の固体撮像装置の出力信号の平均値に対して、出力信号の最大値と最小値との開きは、１０％以上である。
【００１３】
すなわち、従来の固体撮像装置の出力信号の平均値を１００ｍＶとしたときに、出力信号の最大値が１０５ｍＶ以上、最小値が９５ｍＶ以下である。なお、一般に、固体撮像装置の出力信号は、平均値に対して最大値と最小値との開きが１０％より小さければ、再生画像に影響がないレベルと考えられている。
【００１４】
そこで、本発明は、再生画像に影響がないようにするため、受光感度のばらつきが少ない固体撮像装置を提供することを課題とする。
【００１５】
【課題を解決するための手段】
上記課題を解決するために、本発明においては、入射光を集光する集光レンズと、前記集光レンズにより集光された光を電気信号に変換する光電変換素子と、前記光電変換素子に前記集光された光を入射させる開口領域及び前記光電変換素子以外の領域を遮光する遮光領域からなる遮光層とを有する画素を複数備えた固体撮像装置において、前記複数の画素からなる画素群の中心よりも周辺部に配置されている画素は、前記開口領域の重心が前記集光レンズの重心に対して周辺側に位置しており、前記複数の画素の各々は、前記集光された光の光軸が前記光電変換素子の受光部表面の重心を通るように構成され、かつ、前記集光された光の光軸が前記遮光層の開口領域の重心を通るように構成されている。
【００１６】
また、本発明の固体撮像装置においては、入射光を集光する複数の集光レンズと、前記集光レンズから入射した光を電気信号に変換する光電変換素子を複数含む画素群と、前記集光レンズからの光を前記光電変換素子へ導く複数の開口領域とを有し、少なくとも前記画素群の周辺部に位置する画素では、前記集光レンズ及び前記開口領域が、対応する前記光電変換素子に対して前記画素群の中心方向にずれており、かつ、前記開口領域の重心が前記集光レンズの重心に対して周辺方向にずれており、前記集光レンズから入射した光の光軸が前記光電変換素子の受光部表面の重心を通り、かつ、前記集光レンズから入射した光の光軸が前記開口領域の重心を通るように画素が構成されている。
さらに、本発明のカメラは、上記何れかの固体撮像装置と、前記固体撮像装置側に被写体からの光を送る撮像レンズと、前記固体撮像装置の出力信号を記憶する記憶手段とを備える。
【００１７】
【発明の実施の形態】
（実施形態１）
図１（ａ）は、本発明の実施形態１の固体撮像装置の画素群の平面図である。図１（ｂ）は、図１（ａ）に示した画素群のうち１列目、３列目及び５列目の画素の断面図である。図１（ａ）、図１（ｂ）において、１はシリコン基板（Ｓｉ基板）７上に光電変換素子であるフォトダイオード５を有する画素、２は画素１のうちフォトダイオード５以外の領域を遮光する遮光領域を有する遮光層、３は遮光層２に備えられ画素１のフォトダイオード５に光を入射させるための開口領域、４はフォトダイオード５に光を集光するマイクロレンズ、６はたとえば青・赤・緑などのカラーフィルタ層である。
【００１８】
なお、図１（ａ）には、説明の都合上、５×５画素にした例を示しているが、通常はたとえば数１０万〜数１００万画素を２次元状に配列させている。
【００１９】
図１（ａ），図１（ｂ）に示すように、本実施形態では、画素群の中心よりも周辺に配置されている画素１ほど、フォトダイオード５の受光部の重心が、マイクロレンズ４及び開口領域３の重心よりも周辺側に位置するように構成して、マイクロレンズ４により集光された光の光軸と、フォトダイオード５の受光部の重心とが一致するようにしている。
【００２０】
すなわち、図１（ｂ）に示すように、１列目の画素１はフォトダイオード５の受光部の重心に対して図面の右方向にマイクロレンズ４及び開口領域３の重心が位置するように構成し、３列目の画素１はフォトダイオード５の受光部の重心とマイクロレンズ４及び開口領域３の重心とが一致するように構成し、５列目の画素１はフォトダイオード５の受光部の重心に対して図面の左方向にマイクロレンズ４及び開口領域３の重心が位置するように構成している。なお、ここで、開口領域３の重心とは、開口領域３に任意の物質を配したときにその物質の重心となる位置をいう。
【００２１】
このように、本実施形態では、画素群の中心よりも周辺に配置されている画素１ほど、フォトダイオード５の受光部の重心を、マイクロレンズ４及び開口領域３の重心よりも周辺側に位置するように構成することにより、図１（ｂ）に示したように、マイクロレンズ４を介してフォトダイオード５へ入射する光が、遮光層２の遮光領域に遮られないようになる。
【００２２】
図２は、図１に示した固体撮像装置の出力信号を示す図である。図２に示すように、本実施形態の固体撮像装置は、出力信号の平均値に対して、出力信号の最大値と最小値との開きが、１０％より小さい。これは、フォトダイオード５への集光光が遮光層２に遮られないようになることにより受光感度のばらつきを少なくすることができるからである。
【００２３】
（実施形態２）
図３（ａ）は、本発明の実施形態２の固体撮像装置の画素群の平面図である。図３（ｂ）は、図３（ａ）に示した画素群のうち１列目、３列目及び５列目の画素の断面図である。なお、図３（ａ）、図３（ｂ）において、図１（ａ）、図１（ｂ）に示したものと同様の部分には、同一の符号を付している。
【００２４】
図３（ａ），図３（ｂ）に示すように、本実施形態では、画素群の中心よりも周辺に配置されている画素１ほど、フォトダイオード５の受光部の重心が、マイクロレンズ４の重心に対して周辺側に位置するように構成し、且つ開口領域３の重心も、マイクロレンズ４の重心に対して周辺側に位置するように構成して、マイクロレンズ４により集光された光の光軸と、フォトダイオード５の受光部の重心と、開口領域３の重心とがそれぞれ一致するようにしている。
【００２５】
図３（ａ）、図３（ｂ）に示したような画素１の構成は、たとえばカラーフィルタ層６の厚さがあるとき、すなわち遮光層２とマイクロレンズ４との間隔が大きい場合に有効である。
【００２６】
このように、画素群の中心よりも周辺に配置されている画素１ほど、マイクロレンズ４の重心に対して開口領域３の重心と、フォトダイオード５の受光部の重心とを各々ずらすことにより、図１（ａ）、図１（ｂ）に示した固体撮像装置よりも、さらに受光感度のばらつきを少なくすることができる。
【００２７】
（実施形態３）
図４は、本発明の実施形態３の固体撮像装置の画素の断面図であって、図１（ｂ）の１列目の画素及び３列目の画素に相当する図である。図４において、８は有機材料などからなる遮光用の黒フィルタ層、９はカラーフィルタ層６を平坦に形成するための平坦化層である。
【００２８】
なお、黒フィルタ層８は、マイクロレンズ４のない部分に入射した光が、たとえば迷光、光によるクロストークなどの悪影響を生じさせないようにカラーフィルタ層６の製造プロセスなどにおいて作成される。また、図４において、図１（ａ）、図１（ｂ）に示したものと同様の部分には、同一の符号を付している。
【００２９】
本実施形態では、図４に示すように、画素群の中心よりも周辺に配置されている画素１ほど、フォトダイオード５の受光部の重心及び黒フィルタ層８の開口領域の重心が、マイクロレンズ４及び開口領域３の開口領域の重心よりも周辺側に位置するように構成して、マイクロレンズ４により集光された光の光軸と、フォトダイオード５の受光部の重心と、黒フィルタ層８の開口領域の重心とが一致するようにしている。
【００３０】
なお、遮光層２は、図３（ｂ）に示すようにずらして配置すると、さらに受光感度のばらつきを少なくすることができる。
【００３１】
（実施形態４）
図５は、本発明の実施形態４の固体撮像装置の画素群の平面図である。図５に示すように、本実施形態の固体撮像装置は、長方形状の画素１を湾曲形状に配列している。こうして、光電変換を行う開口領域の開口率を配置位置毎に変化させることにより、オートフォーカスセンサなどとしてオートフォーカスカメラなどの固体撮像システムに適用することができる。なお、図１（ａ）に示した固体撮像装置と同様の部分には、同一の符号を付している。
【００３２】
また、本実施形態では、図５に示すように、画素群の中心よりも周辺に配置されている画素１ほど、フォトダイオード５の受光部の重心が、マイクロレンズ４及び開口領域３の開口領域の重心よりも周辺側に位置するように構成して、マイクロレンズ４により集光された光の光軸と、フォトダイオード５の受光部の重心とが一致するようにしている。
【００３３】
そのため、図５に示す固体撮像装置は、図１に示した固体撮像装置と同様に、受光感度のばらつきを少なくすることができる。なお、遮光層２は、図３（ｂ）に示すようにずらして配置すると、さらに受光感度のばらつきを少なくすることができる。また、図４に示すように、黒フィルタ層を設けてもよい。
【００３４】
（実施形態５）
図６は、本発明の実施形態５の固体撮像装置の画素群の平面図である。図６に示す画素群は、図示しない撮像レンズにいわゆる樽型収差がある場合の配置例を示している。すなわち、樽型収差のある撮像レンズに光が入射すると、マイクロレンズ４には光がゆがんで集光される。そこで、本実施形態の固体撮像装置は、このように光学系で発生する収差を、固体撮像装置側で補正する。
【００３５】
なお、図６において、図１（ａ）に示した固体撮像装置と同様の部分には、同一の符号を付している。また、本実施形態においても、図１と同様に、マイクロレンズ４により集光された光の光軸と、フォトダイオード５の受光部の重心とが一致するようにしている。
【００３６】
ちなみに、遮光層２は、図３（ｂ）に示すようにずらして配置すると、さらに受光感度のばらつきを少なくすることができる。また、図４に示すように、黒フィルタ層を設けてもよい。
【００３７】
以上、実施形態１〜５では、マイクロレンズを有する固体撮像装置を例に説明したが、光電変換装置はフォトダイオード以外にも、たとえばＣＣＤ、ＢＡＳＩＳ、ＣＭＯＳセンサ、ＳＩＴセンサ、ＣＭＤ、ＡＭＩなど、どのタイプのセンサでも適用することができる。また、センサは複数行×複数列に配列した場合を例に説明したが、たとえば１行×複数列に配列してもよい。
【００３８】
また、実施形態１〜５のいずれかに記載した固体撮像装置は、固体撮像装置に被写体からの光を入射させる撮像レンズと、固体撮像装置からの出力信号を記憶するメモリなどの記憶手段とを備えたビデオカメラやスチルビデオカメラなどの固体撮像システムにも適用することができる。
【００３９】
【発明の効果】
以上説明したように、本発明の固体撮像装置は、集光レンズにより集光された光の光軸と、集光された光を電気信号に変換する光電変換素子の受光部の重心とが一致するように構成されているため、受光感度のばらつきをなくすことができる。
【００４０】
また、上記固体撮像装置を備えたビデオカメラ、スチルビデオカメラ等の固体撮像システムは、画質を向上することができる。
【図面の簡単な説明】
【図１】本発明の実施形態１の固体撮像装置の画素群の平面図及び断面図である。
【図２】図１の固体撮像装置の出力信号を示す図である。
【図３】本発明の実施形態２の固体撮像装置の画素群の平面図及び断面図である。
【図４】本発明の実施形態３の固体撮像装置の画素群の断面図である。
【図５】本発明の実施形態４の固体撮像装置の画素群の平面図である。
【図６】本発明の実施形態５の固体撮像装置の画素群の平面図である。
【図７】従来の固体撮像装置の画素群の平面図と断面図である。
【図８】従来の固体撮像装置の課題の説明図である。
【図９】図８に示した固体撮像装置の出力信号を示す図である。
【符号の説明】
１  画素
２  遮光層
３  開口領域
４  マイクロレンズ
５  フォトダイオード
６  カラーフィルタ層
７  Ｓｉ基板
８  黒フィルタ層
９  平坦化層
１０  被写体
１１  撮像レンズ
【図１】
0003571982.tif 000002
【図２】
0003571982.tif 000003
【図３】
0003571982.tif 000004
【図４】
0003571982.tif 000005
【図５】
0003571982.tif 000006
【図６】
0003571982.tif 000007
【図７】
0003571982.tif 000008
【図８】
0003571982.tif 000009
【図９】
0003571982.tif 000010